(57)【要約】【課題】コンクリートシュートを、所望の高さで簡単に支持することができ、しかも安定して支持することができる新規なコンクリートシュート専用の支持台を提供する。【解決手段】コンクリートを流下させる樋状のコンクリートシュートＳを設置面に対して支持するコンクリートシュートＳの支持台１００であって、前記設置面に載置される台座１０と、該台座１０に立設された固定杆２０と、該固定杆２０に昇降自在に挿嵌された昇降杆３０と、前記固定杆２０に対して前記昇降杆３０を固定する固定機構５０と、前記昇降杆３０に設けられ、前記コンクリートシュートＳを支持するシュート支持部４１とを備える。【選択図】図１
2006297693.tif 000002
【特許請求の範囲】
【請求項１】
コンクリートを流下させる樋状のコンクリートシュートを設置面に対して支持するコンクリートシュートの支持台であって、
前記設置面に載置される台座と、
該台座に立設された固定杆と、
該固定杆に昇降自在に挿嵌された昇降杆と、
前記固定杆に対して前記昇降杆を固定する固定機構と、
前記昇降杆に設けられ、前記コンクリートシュートを支持するシュート支持部と
を備えることを特徴とするコンクリートシュートの支持台。
【請求項２】
前記昇降杆は、前記固定杆に昇降自在に内嵌されたものであり、
前記固定機構は、前記昇降杆が挿通された挿通孔を有し、前記固定杆に上下方向に傾動自在に組付けられると共に上方向に付勢され、下方向に傾動することで前記昇降杆を前記挿通孔に遊嵌し、上方向に傾動することで前記挿通孔の内面にて前記昇降杆の外面を係止する傾動部材、を用いて構成されている
ことを特徴とする請求項１に記載のコンクリートシュートの支持台。
【請求項３】
前記台座は、非円形状に形成されたものであり、
前記シュート支持部は、前記台座に対して鉛直軸周りに回動自在に組付けられたものである
ことを特徴とする請求項１または請求項２に記載のコンクリートシュートの支持台。
【請求項４】
前記シュート支持部に設けられ、該シュート支持部に支持された前記コンクリートシュートの上方に幅方向に架渡される架渡部材をさらに備える
ことを特徴とする請求項１から請求項３までの何れか一つに記載のコンクリートシュートの支持台。
【請求項５】
前記シュート支持部は、中間部分に前記コンクリートシュートを収容して支持する二股状に形成されたものであり、
前記架渡部材は、その一端部が、前記シュート支持部における二股状の一方の部位に、前記コンクリートシュートの上方に架渡された状態または架渡されない状態となるように回動自在に軸支されたものであると共に、コンクリートシュートの上方に架渡された状態で、その他端部が、前記シュート支持部における二股状の他方の部位に固定されるものである
ことを特徴とする請求項１から請求項４までの何れか一つに記載のコンクリートシュートの支持台。
【発明の詳細な説明】
【技術分野】
【０００１】
本発明は、コンクリートシュートの支持台に関するものであり、詳しくは、コンクリートを流下させる樋状に形成されたコンクリートシュートを、適宜の設置面に支持するコンクリートシュートの支持台に関するものである。
【背景技術】
【０００２】
生コン車やコンクリートミキサー等の供給元から、硬化する前の流動体状のコンクリート、所謂「生コン」をコンクリートの打設現場やコンクリートポンプ等の供給先に搬送するために、コンクリートシュートを用いることがある。ここで、コンクリートシュートは、樋状のものであり、供給元から供給先にコンクリート（生コン）を流下させるものである。
【０００３】
そして、全長が例えば３ｍ以上といった長いコンクリートシュートを用いる場合には、流下させるコンクリートの重みに耐えられずにコンクリートシュートが折れ曲ってしまう可能性があることから、コンクリートシュートの中間部分を支持することが通常なされている。しかしながら、コンクリートシュートを支持するための専用の器具はなく、脚立等の適宜の台を用いてコンクリートシュートを支持しているのが現状である。
【０００４】
上記背景技術は、一般的になされている事項であり、本願出願人は、出願時において、この背景技術が記載された文献を特に知見していない。
【発明の開示】
【発明が解決しようとする課題】
【０００５】
脚立等の適宜の台を用いてコンクリートシュートを支持しようとしても、脚立等の台は高さが一定であるため、コンクリートシュートを所望の高さで支持しようとすると、台とコンクリートシュートとの間に枕木や板等の別途の部材を介在させて支持高さを調節しなければならず、支持高さの調節が面倒である。また、コンクリートシュートを支持するための専用の台ではないため、コンクリートシュートを安定して支持することが困難である。なお、高さ調節を行うことのできる三脚やジャッキ等の支持装置を用いることもできるが、このような支持装置も、やはり、コンクリートシュートを支持するための専用の台ではないため、コンクリートシュートを安定して支持することが困難である。
【０００６】
本発明は、上記実状を鑑みてなされたものであり、コンクリートシュートを、所望の高さで簡単に支持することができ、しかも安定して支持することができる新規なコンクリートシュート専用の支持台を提供することを課題とする。
【課題を解決するための手段】
【０００７】
上記課題を解決するために本発明の採った主要な手段は、
「コンクリートを流下させる樋状のコンクリートシュートを設置面に対して支持するコンクリートシュートの支持台であって、
前記設置面に載置される台座と、
該台座に立設された固定杆と、
該固定杆に昇降自在に挿嵌された昇降杆と、
前記固定杆に対して前記昇降杆を固定する固定機構と、
前記昇降杆に設けられ、前記コンクリートシュートを支持するシュート支持部と
を備えることを特徴とするコンクリートシュートの支持台」
である。
【０００８】
このように構成された支持台は、コンクリートシュートを支持するシュート支持部を備えたコンクリートシュート専用の器具であることから、コンクリートシュートを安定して支持することができる。また、シュート支持部が設けられた昇降杆が、台座に立設された固定杆に対して昇降自在であり、しかも、固定機構によって固定杆に対して固定されるものであることから、コンクリートシュートの支持高さを容易に調節することができる。
【０００９】
なお、固定機構は、昇降杆の昇降度合いを無段階的に調節可能として固定杆に対して昇降杆を固定するものであってもよく、或いは、段階的に調節可能として固定杆に対して昇降杆を固定するものであってもよい。また、固定機構としては、ネジ止めにより固定杆に対して昇降杆を固定する機構や、固定杆及び昇降杆の夫々に穿設されると共に、固定杆または昇降杆の少なくとも一方において、軸方向に異なる複数の位置に穿設されたピン孔に、ピンを差込んで固定杆に対して昇降杆を固定する機構等、適宜の機構を採用することができるが、１回の手動操作、すなわち「ワンタッチ操作」によって、固定杆に対する昇降杆の固定及び解除を行うことができる機構を採用すると、コンクリートシュートの支持高さの調節を簡便に行うことができることから、好適である。
【００１０】
上述した手段において、
「前記昇降杆は、前記固定杆に昇降自在に内嵌されたものであり、
前記固定機構は、前記昇降杆が挿通された挿通孔を有し、前記固定杆に上下方向に傾動自在に組付けられると共に上方向に付勢され、下方向に傾動することで前記昇降杆を前記挿通孔に遊嵌し、上方向に傾動することで前記挿通孔の内面にて前記昇降杆の外面を係止する傾動部材、を用いて構成されている
ことを特徴とするコンクリートシュートの支持台」
としてもよい。
【００１１】
上記構成の支持台では、傾動部材に力を加えて下方向に傾動させると、傾動部材の挿通孔に挿通された昇降杆が遊嵌状態となり、固定杆に対する昇降杆の固定が解除された解除状態となる。よって、この解除状態にて、固定杆に対する昇降杆の昇降度合いを的確に調節することができる。一方、傾動部材に加えた力を緩めれば、傾動部材がその付勢力によって自動的に上方向に傾動して、傾動部材の挿通孔の内面にて昇降杆の外面が係止され、これにより、固定杆に対して昇降杆が的確に固定される。よって、ワンタッチ操作により、固定杆に対する昇降杆の固定及び解除を行うことができ、コンクリートシュートの支持高さの調節を簡便に行うことができる。
【００１２】
上述した手段において、
「前記台座は、非円形状に形成されたものであり、
前記シュート支持部は、前記台座に対して鉛直軸周りに回動自在に組付けられたものである
ことを特徴とするコンクリートシュートの支持台」
としてもよい。
【００１３】
コンクリートシュートを支持台によって支持しようとする設置面は、堅固な面となっているとは限らず、軟弱な地面や脆弱な床面となっている場合がある。よって、軟弱な地面等に支持台を安定して配置できるようにするためには、設置面に載置される台座として、面積が大きいものであるのが好ましい。一方で、設置面は、平坦な面となっているとは限らず、凸凹のある面や傾斜した面となっていたり、面積の大きな台座を載置するのに邪魔な障害物が設置面上に存在していたりする場合もある。よって、大きな面積を確保できるると共に、多様な設置面の状態に応じて安定して載置できるように、台座を、例えば長方形状や長円形状等のような、一方向に長く他方向に短い形状等の非円形状に形成するのが望ましい。しかしながら、台座を非円形状に単に形成すると、支持台としての方向性を有するものとなり、台座の向きと、コンクリートシュートの向きとが合致せず、使用に支障を来たすといった問題が新たに生じる。
【００１４】
そこで、上記構成では、台座に対してシュート支持部を鉛直軸周りに回動自在とすることで、台座の向きに対するシュート支持部の向きに自由度を有するものとする。これにより、台座の向きによってはシュート支持部の向きが特定されず、台座を設置面に安定して載置すると共に、シュート支持部の向きをコンクリートシュートの向きに合致させることができ、使用勝手に優れた支持台とすることができる。
【００１５】
なお、台座に対してシュート支持部を回動自在とするためには、固定杆と昇降杆とを回動自在に組付けたり、昇降杆とシュート支持部とを回動自在に組付けたり、或いは、台座と固定杆とを回動自在に組付けたりすればよい。
【００１６】
上述した手段において、
「前記シュート支持部に設けられ、該シュート支持部に支持された前記コンクリートシュートの上方に幅方向に架渡される架渡部材をさらに備える
ことを特徴とするコンクリートシュートの支持台」
としてもよい。
【００１７】
コンクリートシュートをシュート支持部に単に載置して支持することとすると、コンクリートシュートを支持している状態の支持台が不用意に倒れる可能性がある。
【００１８】
そこで、上記構成では、シュート支持部にてコンクリートシュートを単に支持するだけではなく、架渡部材をコンクリートシュートの上方に幅方向に架渡すことができることとする。架渡部材がコンクリートシュートの上方に架渡された状態では、支持台が倒れようとしても、架渡部材がコンクリートシュートに引っ掛かるため、支持台は倒れない。よって、上記構成によれば、支持台の不用意な倒れを防止することができる。
【００１９】
なお、架渡部材としては、両端がシュート支持部に固定される針金、紐、ベルト、板や棒等といった非弾性部材、ゴムベルト、ゴム紐、スプリング等といった弾性部材等、適宜の部材を採用することができる。
【００２０】
上述した手段において、
「前記シュート支持部は、中間部分に前記コンクリートシュートを収容して支持する二股状に形成されたものであり、
前記架渡部材は、その一端部が、前記シュート支持部における二股状の一方の部位に、前記コンクリートシュートの上方に架渡された状態または架渡されない状態となるように回動自在に軸支されたものであると共に、コンクリートシュートの上方に架渡された状態で、その他端部が、前記シュート支持部における二股状の他方の部位に固定されるものである
ことを特徴とするコンクリートシュートの支持台」
としてもよい。
【００２１】
上記構成は、架渡部材を具体的に限定したものであり、一端部がシュート支持部に軸支され、回動してコンクリートシュートに架渡された状態となり、この状態で他端部がシュート支持部に固定されるものであることから、架渡部材をコンクリートシュートの上方に簡便且つ確実に架渡すことができる。
【発明の効果】
【００２２】
上述の通り、本発明によれば、コンクリートシュートを、所望の高さで簡単に支持することができ、しかも安定して支持することができる新規なコンクリートシュート専用の支持台を提供することができる。
【発明を実施するための最良の形態】
【００２３】
本発明に係るコンクリートシュートの支持台の実施形態としての一例を、図１及び図２に基づいて以下に詳細に説明する。
【００２４】
支持台１００は、コンクリートシュートＳを支持すべき設置面に載置される台座１０と、この台座１０の上面に立設された固定杆２０と、この固定杆２０に昇降自在に挿嵌された昇降杆３０と、この昇降杆３０の上部に設けられ、コンクルートシュートＳを支持するシュート支持部４１とを備えている。
【００２５】
台座１０は、平板状で、且つ、平面視にて長方形状に形成されている。ここで、長方形状に形成された台座１０の長辺は、コンクリートシュートＳの幅寸法よりも長くなっており、台座１０は、設置面が軟弱な地面であっても、安定して載置できるものとなっている。また、台座１０は、長方形状に形成されていることから、設置面に凹凸があったり、設置面が傾斜面であったり、或いは、設置面に邪魔な障害物が存在していたとしても、その向きを変えることで、設置面に的確に載置することができるものとなっている。
【００２６】
固定杆２０は、パイプ状に形成されており、台座１０の上面の中央部分に、鉛直方向に立設する状態で、溶接により固着されている。
【００２７】
昇降杆３０は、パイプ状に形成されており、固定杆２０の内方に挿嵌、すなわち内嵌され、固定杆２０に対して、昇降自在、且つ、固定杆２０の軸周りである鉛直軸周りに回動自在（図１における矢印Ａ）となっている。
【００２８】
シュート支持部４１は、板材を湾曲させて円弧状に形成され、昇降杆３０の上端に溶接により固着された支持部材４０を用いて構成されている。換言すれば、上記支持部材４０の湾曲する内面によって、コンクリートシュートＳの下面を受けるシュート支持部４１が構成されている。このような構成では、支持部材４０が昇降杆３０から二股状に延出するもの、換言すれば、シュート支持部４１が二股状に形成されたものとなり、コンクリートシュートＳは、二股状のシュート支持部４１の中央部分に収容されて支持されることとなる。なお、シュート支持部４１を支持部材４０によって構成するに限らず、昇降杆３０の上端面が、コンクリートシュートＳを安定して載置できる面積を有するものであれば、昇降杆３０の上端面によってシュート支持部４１を構成することとしてもよい。
【００２９】
ところで、上述の通り、固定杆２０に対して昇降杆３０が鉛直軸周りに回動自在となっていることから、本例の支持台１００では、シュート支持部４１が台座１０に対して鉛直軸周りに回動自在に組付けられたものとなる。よって、台座１０の向きに対してシュート支持部４１の向きが特定されることなく、台座１０の向きに対するシュート支持部４１の向きを自由に変更することができ、台座１０の向きに束縛されずに、シュート支持部４１の向きをコンクリートシュートＳの向きに合致させることができる。
【００３０】
また、支持台１００は、固定杆２０に対して昇降杆３０を適宜高さで昇降不能として固定する固定機構５０を備えている。次に、この固定機構５０を説明する。
【００３１】
固定機構５０は、昇降杆３０の外径よりも大径に形成され、昇降杆３０を遊嵌状態で挿通可能な挿通孔５３を有し、一端側が、固定杆２０の上端に溶接によって固定された上板５１に、蝶番構造を介して上下方向に傾動自在に支持された板状の傾動部材５２を用いて構成されている。なお、この傾動部材５２の他端側には、手によって傾動部材５２を良好に傾動操作できるように、棒状のレバー５４が溶接により固着されている。
【００３２】
また、傾動部材５２は、付勢部材５５、具体的には、固定杆２０の上端の上板５１と傾動部材５２との間に装着された圧縮コイルスプリングによって、上方向に付勢されている。レバー５４を押し下げて傾動部材５２を下方向に傾動させると、傾動部材５２の挿通孔５３に挿通された昇降杆３０が遊嵌状態となり、固定杆２０に対して昇降杆３０を昇降可能な状態となるのであるが、レバー５４を押し下げる力を緩めると、付勢部材５５の付勢力により傾動部材５２が上方向に自動的に傾動し、傾動部材５２の挿通孔５３の内面によって、昇降杆３０の外面が係止される。そして、この挿通孔５３による係止により、固定杆２０に対して昇降杆３０が昇降不能な状態となる。よって、この支持台１００では、昇降杆３０を無段階的に適宜高さで調節して、固定することができる。また、レバー５４のワンタッチ操作によって、昇降杆３０の固定及び解除の操作を行うことができる。
【００３３】
なお、本例の支持台１００では、昇降体３０を最下限の位置まで下降させた状態において、シュート支持部４１を構成する支持部材４０の下面と、固定機構５０を構成する傾動部材５２の上面との間に、手の幅よりも大きな間隙、具体的には、少なくとも１５０ｍｍの間隙が確保される構造となっている。よって、上昇した状態の昇降杆３０を手で把持して下降させても、手が支持部材４０と傾動部材５２との間に不用意に挟まれることがない。ここで、昇降杆３０の最下限の位置を規制するためには、昇降杆３０を最下限に下降させた状態にて、昇降杆３０の下端が台座の上面に当接する構造や、昇降杆３０の外方に突出するピンが傾動部材５２等の固体杆２０側の部材に当接する構造等、適宜の構造を採用すればよい。
【００３４】
また、支持台１００は、シュート支持部４１にコンクリートシュートＳを支持した状態で、コンクリートシュートＳの上方に、幅方向に架渡すことが可能な架渡部材６０を備えている。次に、この架渡部材６０を説明する。
【００３５】
架渡部材６０は、二股状の支持部材４０に対して、一方の側から他方の側に架渡すことができるような長さの棒状に形成されたものであり、一端部が、二股状の支持部材４０における一方の側の上部に蝶番構造を介して回動自在（図１にける矢印Ｂ）に軸支されている。また、架渡部材６０の他端部には、ピン孔６１が設けられており、支持部材４０の他方の側の上部にも、ピン孔４２が設けられている。
【００３６】
二股状のシュート支持部４１の中間部分にコンクリートシュートＳを収容して支持させた上で、架渡部材６０を回動してコンクリートシュートＳの上方に架渡し、支持部材４０のピン孔４２と架渡部材６０のピン孔６１とにピン７０を装着すれば、架渡部材６０が支持部材４０に対して回動することなく的確に固定され、架渡部材６０をコンクリートシュートＳの上方に架渡した状態が堅固に維持される。このように、架渡部材６０をコンクリートシュートＳの上方に架渡すことで、コンクリートシュートＳの長手方向に支持台１００が傾くことをある程度、規制することができ、支持台１００が不用意に倒れることを防止することができる。
【００３７】
以上、本発明に係るコンクリートシュートの支持台の一例を説明したが、本発明に係るコンクリートシュートの支持台は、上述の例に限らず、本発明の要旨を逸脱しない範囲で、適宜の変更が可能である。また、本発明に係るコンクリートシュートの支持台は、長いコンクリートシュートの中間部分を支持するために用いることができるに限らず、コンクリートシュートの両端や片端を支持するための台として用いることもできる。
【図面の簡単な説明】
【００３８】
【図１】本発明に係るコンクリートシュートの支持台の一例を示す斜視図である。
【図２】図１に示した支持台の部分断面正面図である。
【符号の説明】
【００３９】
Ｓ  コンクリートシュート
１０  台座
２０  固定杆
３０  昇降杆
４０  支持部材
４１  シュート支持部
４２  ピン孔
５０  固定機構
５１  上板
５２  傾動部材
５３  挿通孔
５４  レバー
５５  付勢部材（圧縮コイルスプリング）
６０  架渡部材
６１  ピン孔
７０  ピン
【図１】
2006297693.tif 000003
【図２】
2006297693.tif 000004